(57)【特許請求の範囲】
【請求項１】
外層上に半田によってデバイスが搭載された廃棄プリント基板の回収方法であって、
廃棄プリント基板上の全ての半田点を加熱して全ての搭載されたデバイス類を除去して、デバイス類が除去された廃棄プリント基板とし、分離したデバイス類を分別するステップａと、
前記デバイス類が除去された廃棄プリント基板を２００℃以上に加熱し、外層の半田を溶融状態として真空吸引装置で直接外層上の錫合金を回収するステップｂと、
硝酸液にステップｂ処理後の前記デバイス類が除去された廃棄プリント基板を浸漬し、外層に残留した錫合金を溶解して、銅金属と分離させ、硝酸液によって外層に残留した全ての錫合金を直接回収するステップｃと、
強酸溶液にステップｃ処理後の前記デバイス類が除去された廃棄プリント基板を浸漬し、すべての半田点上の銅箔および基板の貫通孔上の銅鍍金を前記強酸溶液中に溶解し、銅箔のない半田点および貫通孔の廃棄プリント基板を形成するステップｄと、
ステップｄ処理後の前記廃棄プリント基板を溶融状態の硝酸ナトリウム融液に投入して化学反応を行い、溶融硝酸ナトリウムに内部の臭化エポキシ樹脂を熱分解させた後、ガラス繊維と分離させ、臭化ナトリウム、炭化物、ガラス繊維および銅箔混合物、有機気体および窒素酸化物をそれぞれ形成するステップｅと、
前記炭化物、ガラス繊維および銅箔の混合物を取り出し、水洗浄によって炭化物、ガラス繊維と純粋な銅箔とに分離し、回収するステップｆと、
を含むことを特徴とする廃棄プリント基板の回収方法。
【請求項２】
前記ステップｄにおける銅箔が溶解した後の強酸溶液は、銅イオンを含む酸性溶液を形成し、直接エッチング液として利用されることを特徴とする請求項１記載の廃棄プリント基板の回収方法。
【請求項３】
前記ステップｄにおける強酸溶液は稀硝酸であるか、或いは塩酸または硫酸のいずれかであることを特徴とする請求項１記載の廃棄プリント基板の回収方法。
【請求項４】
前記ステップｅは、熱エネルギーによって臭化エポキシ樹脂を熱分解し、同時に硝酸ナトリウムと直接化学変化を発生させて有機気体および窒素酸化物を形成し、臭化物イオンとナトリウムイオンとが直接臭化ナトリウムを形成して溶融硝酸ナトリウム内に残留し、エポキシ樹脂中の炭素はその大部分がガラス繊維上に直接付着し、ガラス繊維と炭化物に転換する処理を行うことを特徴とする請求項１記載の廃棄プリント基板の回収方法。
【請求項５】
前記ステップｆの炭化物とガラス繊維および銅箔の混合物中において、炭化物、ガラス繊維の比重は銅箔よりも軽いので、水洗浄後、炭化物、ガラス繊維は水溶液の上方に浮き、銅箔は下方に沈殿し、炭化物、ガラス繊維および銅箔の回収作業を容易にしたことを特徴とする請求項１記載の廃棄プリント基板の回収方法。
【請求項６】
前記硝酸ナトリウムは、硝酸カリウムまたは亜硝酸ナトリウムに代替することを特徴とする請求項１記載の廃棄プリント基板の回収方法。
【請求項７】
前記硝酸液は、塩酸液に代替することを特徴とする請求項１記載の廃棄プリント基板の回収方法。
【発明の詳細な説明】
【技術分野】
【０００１】
本発明は、廃棄プリント基板（ＰＣＢ）の回収再利用方法に関し、特に廃棄プリント基板内に残留する各種の金属物質を回収でき、二次汚染を引き起こすことなく、再利用可能な工業原料に直接転換する方法および装置に関する。
【背景技術】
【０００２】
周知の通り、プリント基板（ＰＣＢ）は各種の電気製品中に大量に使用されている。近年懸念されることとして、その電気製品が廃棄され、適当な回収または適当な処理がなされない場合、内部のプリント基板に含まれる錫、鉛および銅などの重金属は容易に自然環境を汚染し、特にプリント基板中のハロゲン化物質に属する臭化エポキシ樹脂は容易に環境破壊をもたらすので、世界各国の環境保護の専門家はハロゲン化物質の使用量削減を強く訴えている。
【０００３】
従って世界各国において、廃棄プリント基板は規制対象の有害事業廃棄物に指定されており、現在その関連技術として粉砕法（例えば特許文献１および特許文献２）、直接焼却法、熱分解法、化学溶解法および溶融無機塩法などの方法が開発され、プリント基板内の銅金属材料および中間材料のガラス繊維が回収されるが、これらの各種方法においてプリント基板を回収処理するとき、下記の欠点が存在する。
【０００４】
粉砕法：廃棄プリント基板を屑状に破砕した後、比重分離法により金属成分を多く含む屑と金属成分をあまり含まない屑とに分離するが、どちらの屑にしても、金属以外に臭化エポキシ樹脂およびガラス繊維などの成分が混在するので、回収処理上一定の困難および精製不足が発生する。特に臭化エポキシ樹脂およびガラス繊維の回収後の再利用価値は考慮されていない。
【０００５】
直接焼却法：廃棄プリント基板を直接焼却してガラス繊維および金属の混合物を形成し、冷却後必要な金属を取得するもので、その過程においてエネルギーの浪費があるだけでなく、有毒である臭化水素が発生して環境を汚染し、回収物も低レベルの混合金属であり、冶金法による精製が必要であるため、この方法を直接利用する価値は低い。
【０００６】
熱分解法：熱分解の過程において大量の有毒である臭化水素（ＢｒＨ）が発生し、自然環境に重大な影響を与える。金属が分離されて直接回収されるが、ガラス繊維および臭化エポキシ樹脂などは再利用できず環境破壊をもたらすという欠点がある。
【０００７】
化学溶解法：溶解過程において、廃棄プリント基板中間層内の金属を完全に溶解することができず、溶解後の臭化エポキシ樹脂内に重金属成分が残留し、それによって環境に悪影響を与えるという問題を有する。
【０００８】
溶融無機塩法：廃棄プリント基板を溶融無機塩に投入し、金属およびガラス繊維を回収するが、下記の欠点を有する。
１．処理温度が４００℃以上のとき、基板中の錫、鉛および銅は容易に混合されて合金状となり、回収後低価格の混合金属となってしまい、精製する場合、時間および手間が掛かり、コストが増加する。
２．溶融無機塩の比重はプリント基板よりも大きく、基板を溶融無機塩に投入したとき、基板が浮いてしまい、撹拌分離作業の過程において大きな困難を有する。
３．無機塩によって破壊された後、基板は軟化して、撹拌破砕ができなくなる。
４．プリント基板上の各半田箇所は、貫通孔よりも大きく、全ての製作が完了されたプリント基板は半田によって接続され、連結した構造が形成されるが、それによって基板のガラス繊維を緊密に固定するので分離作業が非常に困難であり、分離効果は相対的に極めて劣る。
５．廃棄プリント基板を長時間溶融無機塩内に放置した場合、ガラス繊維が破壊され、混合撹拌および再抽出過程における反応時間の制御を一致させることができないのでガラス繊維の回収が困難となり、同時に破砕後のガラス繊維の再利用性が低下する。
【０００９】
上述の従来技術における廃棄プリント基板の各種処理方法は、最善の処理方法ではない。本発明は工程を数段階に分け、基板の特性に基づいて異なる方法およびステップを行って異なる材料を回収することによって、完全な回収を達成し、最良の再利用価値を創造することができるものである。
【特許文献１】台湾専利公告第２４７２８１号
【特許文献２】台湾専利公告第３６３９０４号
【特許文献３】特開２０００−３０１１３１号公報
【特許文献４】特開平１１−７６９８０号公報
【発明の開示】
【発明が解決しようとする課題】
【００１０】
本発明の目的は、廃棄プリント基板（ＰＣＢ）をプリント基板の構造特性に基づいて外部から内部に数段階に分けて基板の異なる材質を回収するものであり、再利用の価値に基づいて回収工程が設計され、回収物が最高の価値を得ることができる廃棄プリント基板の回収方法を提供することにあり、プリント基板産業において最良の回収再利用システムを構築するものである。
【課題を解決するための手段】
【００１１】
上述の課題を解決するために、請求項１の発明は、廃棄プリント基板上の全ての半田点を加熱して全ての搭載されたデバイス類を取り除き、搭載されたデバイス類が除去された廃棄プリント基板にし、全ての搭載されたデバイス類を分類して再利用するステップａと、搭載されたデバイス類が除去された廃棄プリント基板を２００℃以上に加熱し、外層の半田を溶融状態にして真空吸引装置で直接外層上の錫合金を回収するステップｂと、硝酸液にステップｂ処理後の搭載されたデバイス類が除去された廃棄プリント基板を浸漬し、外層に残留した錫合金を溶解し、銅金属と分離させ、硝酸液によって外層に残留した全ての錫合金を直接回収するステップｃと、強酸溶液でステップｃ処理後の搭載されたデバイス類が除去された廃棄プリント基板を溶解し、すべての半田点上の銅箔および基板の貫通孔上の銅鍍金を強酸溶液中に溶解し、銅箔のない半田点および貫通孔の廃棄プリント基板を形成するステップｄと、ステップｄ処理後の廃棄プリント基板を溶融状態の硝酸ナトリウムに投入して化学反応を行い、溶融硝酸ナトリウムに内部の臭化エポキシ樹脂を熱分解させた後、ガラス繊維と分離させ、臭化ナトリウム、炭化物、ガラス繊維および銅箔混合物、有機気体および窒素酸化物をそれぞれ形成するステップｅと、炭化物、ガラス繊維および銅箔の混合物を取り出し、水洗浄によって炭化物、ガラス繊維と純粋な銅箔とに分離し、直接回収して材料として再利用するステップｆと、を含むことを特徴とする廃棄プリント基板の回収方法である。
【００１２】
請求項２の発明は、ステップｂにおける銅箔が溶解した後の強酸溶液は、銅イオンを含む酸性溶液を形成し、直接エッチング液として利用されることを特徴とする請求項１記載の廃棄プリント基板の回収方法である。
【００１３】
請求項３の発明は、ステップｄにおける強酸溶液は稀硝酸であるか、或いは塩酸または硫酸などが有酸素雰囲気中でスプレーで行われるものであり、同時に塩酸または硫酸中に少量の硝酸が選択的に加えられることを特徴とする請求項１記載の廃棄プリント基板の回収方法である。
【００１４】
請求項４の発明は、ステップｅは、熱エネルギーによって臭化エポキシ樹脂を熱分解し、同時に硝酸ナトリウムと直接化学変化を発生させて有機気体および窒素酸化物を形成し、臭化物イオンとナトリウムイオンとが直接臭化ナトリウムを形成して溶融硝酸ナトリウム内に残留し、エポキシ樹脂中の炭素はその大部分がガラス繊維上に直接付着し、ガラス繊維と炭化物に転換する処理を行うことを特徴とする請求項１記載の廃棄プリント基板の回収方法である。
【００１５】
請求項５の発明は、ステップｆの炭化物、ガラス繊維および銅箔の混合物中において、炭化物、ガラス繊維の比重は銅箔よりも軽いので、水洗浄後、炭化物、ガラス繊維は水溶液の上方に浮き、銅箔は下方に沈殿し、炭化物、ガラス繊維および銅箔の回収作業を容易にすることを特徴とする請求項１記載の廃棄プリント基板の回収方法である。
【００１６】
請求項６の発明は、硝酸ナトリウムは、硝酸カリウムまたは亜硝酸ナトリウムに代替することを特徴とする請求項１記載の廃棄プリント基板の回収方法である。
【００１７】
請求項７の発明は、硝酸液は、塩酸液に代替することを特徴とする請求項１記載の廃棄プリント基板の回収方法である。
【発明の効果】
【００１８】
本発明はプリント基板の特性を利用して数段階に分けて異なる処理工程を行うことによって基板上に残留する各種の金属を徐々に分離させ、それによって樹脂中の臭化物および重要なガラス繊維を回収でき、各種工業原料に転換して資源の再利用を行うことができ、廃棄プリント基板の回収再利用後において、自然環境の破壊を引き起こすことがない。
【発明を実施するための最良の形態】
【００１９】
図１、２に示すように、本発明は廃棄プリント基板の回収方法を提供するものであり、下記のステップを含む。
【００２０】
ａ：廃棄プリント基板１０上の全ての半田点を加熱して全ての搭載されたデバイス類を取り除いて、デバイス類が除去された廃棄プリント基板にし、除去されたデバイス類を分別する。
ｂ：デバイス類が除去された廃棄プリント基板を２００℃以上に加熱し、外層の半田を溶融状態にして真空吸引装置で直接外層上の錫合金（錫化物）を回収する。基板の最外層は錫化合物であり、デバイス類は錫によって半田接合され、錫は２００℃以上で溶融し始めるので、基板の温度が２００℃以上において、錫合金は溶融状態となり、真空吸引装置で直接大部分の錫合金を回収できる。
ｃ：一般の硝酸液にステップｂの処理後のデバイス類が除去された廃棄プリント基板を浸漬し、外層に残留した錫合金を溶解して、銅金属と分離させ、硝酸液によって外層に残留した全ての錫合金を直接回収する。
ｄ：強酸溶液でステップｃ処理後のデバイス類が除去された廃棄プリント基板を溶解し、すべての半田点上の銅箔および基板の貫通孔上の銅鍍金を強酸溶液中に溶解し、銅箔のない半田点および貫通孔の廃棄プリント基板とする。銅箔を溶解した後の強酸溶液は銅イオンを含む酸性溶液を形成し、直接エッチング液として利用することができ、本来基板貫通孔に存在して回路を形成していた銅片または銅箔は未だ強酸溶液に接触して溶解していないので、ガラス繊維内に存在する。
ｅ：ステップｄ処理後の廃棄プリント基板を溶融状態の硝酸ナトリウム２０溶液に投入して化学反応を行い、溶融硝酸ナトリウム２０に内部の臭化エポキシ樹脂を熱分解させた後、ガラス繊維と分離し、臭化ナトリウム１１、炭化物、ガラス繊維１２および銅箔１３混合物、有機気体１４および窒素酸化物１５がそれぞれ形成される。臭化ナトリウム１１は臭化塩類に属し、環境に対して無害であるので、直接廃棄または再利用することができ、有機気体１４および窒素酸化物１５は完全燃焼後、安定した無毒の気体となり、大気中に放出することができる。
ｆ：炭化物、ガラス繊維１２および銅箔１３の混合物を取り出し、水洗浄によって炭化物、ガラス繊維１２と純粋な銅箔１３とに分離することができ、直接回収して材料として再利用することができる。
【００２１】
ステップｄにおける強酸溶液は、稀硝酸、或いは塩酸または硫酸などが有酸素雰囲気中でスプレーし、同時に塩酸または硫酸中に少量の硝酸を加えても良い。
【００２２】
ステップｅは、２に示すように、溶融硝酸ナトリウム２０を利用して直接臭化エポキシ樹脂を破壊し、ナトリウムイオンと臭化物イオンとを迅速に結合させて安定した臭化ナトリウム１１を形成し、臭化物が排出され空気および環境が汚染されるのを防止することができる。エポキシ樹脂は熱分解後、有機気体１４およびガラス繊維に付着した黒色炭素を形成する。硝酸ナトリウム２０はナトリウム元素を失って硝酸イオンとなり、有機気体１４および硝酸イオンは加酸素燃焼によって破壊され、安定した気体が形成され、水洗浄装置によって有毒物質を容易に洗浄することができ、臭化物が回収される以外に、ガラス繊維と炭化物形成機能が加わり、ガラス繊維が応用されるときには炭化を強化し、大きな面積を形成する必要があるので、再利用に都合がよくなる。
【００２３】
ステップｆの炭化物、ガラス繊維１２および銅箔１３の混合物中において、炭化物、ガラス繊維１２の比重は銅箔１３よりも軽いので、水洗浄後、炭化物、ガラス繊維１２は水溶液の上方に浮き、銅箔１３は下方に沈殿し、炭化物、ガラス繊維１２および銅箔１３の回収作業を更に容易にする。
【００２４】
上述の各ステップによって廃棄プリント基板１０から半田、銅、臭化エポキシ樹脂およびガラス繊維などの材料成分を容易に分離できるので、分離過程において汚染防止に関わる問題および製品の再利用価値に関わる問題を抑制できる。本発明は従来技術と比較して下記の長所を有する。
【００２５】
１．本発明は処理過程において、機械的な破砕工程を経ずに処理するので、破砕工程による処理コストの上昇はなく、極めて経済的である。
２．本発明の各処理工程は、それぞれ材料別の回収効果を備えるので、回収を容易に行うことができ、回収処理設備に掛かる投資を大幅に低下させることができ、操作方法も極めて容易である。
３．本発明の処理回収過程全体において、二次汚染を防止することができる。その理由を下記に示す。
（１）錫の溶解作業は、市販の硝酸液または塩酸液を使用するので、処理工程のレベルを高める効果を有する。
（２）銅の溶解作業は、強酸液によって行われ、その液体は従来技術におけるプリント基板の製造工程で使用されるエッチング液と同一であり、直接エッチング液として使用できる。
（３）強酸化剤によって臭化エポキシ樹脂を破壊し、ナトリウムイオンと臭化物イオンとを迅速に結合させて安定した臭化塩類を形成するので二次汚染を有効的に防止できる。
（４）回収された炭化物、ガラス繊維は完全であり、且つ面積が大きいので再利用性が高く、容易に加工することができ、また、内部に付着した炭素がガラス繊維を直接強化する機能を有し、繊維に炭素を加える熱を節約できるだけでなく、再利用材料を直接投入できる。
（５）ガラス繊維の回収は、簡単な水洗浄で完了される。
（６）銅箔の回収も水洗浄によって完了する。
（７）臭化ナトリウムおよび硝酸ナトリウムの性質は大きく異なり、硝酸ナトリウムの融点は３００℃であるが、臭化ナトリウムの融点の７５７．７℃よりも低く、硝酸ナトリウムの比重は２．２６１であり、臭化ナトリウムの比重３．２０３よりも小さいので容易に分離を行うことができる。
（８）多種の回収物はすべて良好な回収価値を有し、回収工程におけるロスはない。
【００２６】
本発明の廃棄プリント基板の回収方法において、廃棄プリント基板１０と溶融硝酸ナトリウム２０との熱分解を行う装置は、炉体３０および加熱装置４０を備える。炉体３０上には入口３１、臭化ナトリウム取り出しバルブ３２、掻き出し装置３３および出口３４が設けられる。
【００２７】
入口３１は、外ゲートおよび内ゲートの二重ゲートの構造が採用され、主に臭化エポキシ樹脂およびガラス繊維を含む廃棄プリント基板１０および硝酸ナトリウム２０が先ず入口３１の外ゲート内に投入され、次に内ゲートが開けられ、廃棄プリント基板１０および硝酸ナトリウム２０が炉体３０に導入された後、内ゲートおよび外ゲートによる保護によって内部の気体が外部に漏れるのを防止し、作業の安全性が確保される。
【００２８】
臭化ナトリウム取り出しバルブ３２は、熱分解の化学反応後、炉内の硝酸ナトリウムおよび臭化ナトリウムの混合液を炉体３０外部に放出する。比重差によって臭化ナトリウムの大部分は炉体３０の下方に位置する。
【００２９】
掻き出し装置３３は、熱分解の化学反応後、炭化物、ガラス繊維１２および銅箔１５を出口３４部分まで掻き出しし、出口３４から炉体３０外部に送り出して洗浄を行い、それによって炭化物、ガラス繊維および純粋な銅箔が取得される。
【００３０】
加熱装置４０は、硝酸ナトリウム２０を３５０℃〜５００℃の間に加熱し、硝酸ナトリウム２０を溶融状態にする。
【００３１】
上述の装置によって、廃棄プリント基板１０と溶融硝酸ナトリウム２０とを炉体３０内で熱分解および化学反応させることができ、臭化ナトリウム１１、炭化物、ガラス繊維１２、有機気体１４、窒素酸化物１５および銅箔１３がそれぞれ取得される。臭化ナトリウム１１および炭化物、ガラス繊維１２および銅箔１３は掻き出し装置３３によって炉体３０外部に掻き出しされ、水洗浄によってガラス繊維１２および銅箔１３上の臭化ナトリウム１１および硝酸ナトリウム２０が除去され、炭化物、ガラス繊維１２および銅箔１３が取得され、工業原料として再利用することができる。
【００３２】
有機気体１４および窒素酸化物１５は、気体完全燃焼装置５０によって完全に燃焼され、その後、水洗浄して環境に無害な安定気体１４１に転化される。図３に示すように、循環反応装置５１、加酸素助燃反応装置５２、空気反応緩衝停留装置５３、二次加熱燃焼装置５４、ブロワ５５、空気熱交換装置５６、炉体冷却装置５７、空気洗浄冷却装置５８および圧力平衡装置５９を備える。
【００３３】
循環反応装置５１は、炉体３０内に設置され、モータの回転速度調整して廃棄プリント基板１０および溶融硝酸ナトリウム２０の反応時間を制御し、ガラス繊維の品質を保持する。
【００３４】
加酸素助燃反応装置５２は、炉体３０内の上述の循環反応装置５１の上方に設置され、圧縮酸素を供給することによって有機気体１４を完全に燃焼する。
【００３５】
空気反応緩衝停留装置５３は、炉体３０内の上述の加酸素助燃反応装置５２の上方に設置され、炉体３０内の気体を安定させ、熱空気中の酸素との結合を迅速に行う。
【００３６】
二次加熱燃焼装置５４は、炉体３０上の上述の空気反応緩衝停留装置５３上方に設置され、炉体３０内の反応温度を高めるのに使用され、有機気体１４の二次燃焼を行うときの完全燃焼を確保し、同時に空気洗浄冷却装置５８を利用して燃焼後生成される気体を安定気体１４１にする。
【００３７】
ブロワ５５は、炉体３０上に設置され、外界の空気を大量に炉体３０内に送り込み、有機気体１４の窒素酸化物１５を完全に燃焼し、気体の不完全燃焼を防止する。
【００３８】
空気熱交換装置５６は、炉体３０上の上述の二次加熱燃焼装置５４の上方に設置され、炉体温度によって炉体３０内に進入した冷たい空気を加熱して活性化させた後、炉体３０内で燃焼中の酸素活性を強化し、燃料の無駄遣いを低減し、反応速度を加速させる。
【００３９】
炉体冷却装置５７は、炉体３０上に設置され、熱交換によって冷却水と炉体温度との熱交換を行うことによって炉体３０の温度を低下させる。
【００４０】
空気洗浄冷却装置５８は、燃焼後の気体の粉塵除去および吸着作用を行った後、外界に放出し、二次汚染を防止する。
【００４１】
圧力平衡装置５９は、圧力によって炉体３０内の負荷圧力値を測定し、圧力制御装置の制御コンバータによってブロワ出力を直接制御し、炉体３０内の圧力を平衡に保つと同時に有機気体１４に単一方向の処理を行わせる。
【００４２】
上述の実施例から分かるように、気体完全燃焼装置５０によって確実に熱分解後の有機気体１４および窒素酸化物１５を無毒の安定気体１４１にすることができ、全ての処理過程において環境に有害な物質の排出は全くなく、環境保護の各規定に完全に符合する。
【図面の簡単な説明】
【００４３】
【図１】本発明の処理工程を示すフロー図である。
【図２】本発明において、廃棄プリント基板を溶融状態の硝酸ナトリウム中に投            入して化学反応を行うときの状態を示す流れ図である。
【図３】本発明において組み合わせて使用される回収装置を示す模式図である。
【符号の説明】
【００４４】
１０  廃棄プリント基板
１１  臭化ナトリウム
１２  炭化物＋ガラス繊維
１３  銅箔
１４  有機気体
１５  窒素酸化物
２０  硝酸ナトリウム
３０  炉体
３１  入口
３２  臭化ナトリウム取り出しバルブ
３３  掻き出し装置
３４  出口
４０  加熱装置
５０  気体完全燃焼装置
５１  循環反応装置
５２  加酸素助燃反応装置
５３  空気反応緩衝停留装置
５４  二次加熱燃焼装置
５５  ブロワ
５６  空気熱交換装置
５７  炉体冷却装置
５８  空気洗浄冷却装置
５９  圧力平衡装置
１４１安定気体
【図１】
0004791978.tif 000002
【図２】
0004791978.tif 000003
【図３】
0004791978.tif 000004